(57)【特許請求の範囲】
【請求項１】
建物等の壁面に形成された扉開口部の天井側に配設する上案内レールと床面側に配設する下案内レールとによって水平移動可能に支持され、扉開口部の前面に移動して扉開口部を遮蔽する戸締り位置と扉開口部の側方に移動して退避する開放位置との間を往来する扉板と、扉開口部の周囲に戸締り位置にある前記扉板に対して進退自在に埋設する角枠状のシール枠と、該シール枠を前記扉板に対して平行移動させるように進退駆動する複合リンク機構と、前記扉板に固定する突当て部材とを備えた高気密性の引き戸装置において、
前記複合リンク機構は、扉開口部の上縁部に沿って配設する第１リンクと、扉開口部の左右の側縁に沿って配設する一対の第２リンクと、リターンスプリングとからなり、前記第１リンクは、戸締り位置に移動する扉板によって前記突当て部材を介して駆動されることによって前記一対の第２リンクを同時に駆動し、駆動された前記第２リンクは、前記第１リンクと協働して前記扉板の水平方向の動きを前記シール枠の平行進退動作に変換して前記シール枠を戸締り位置において前記扉板に圧接するとともに、前記リターンスプリングは、前記扉板が戸締り位置から開放位置側に移動開始すると同時にシール枠を後退駆動すること、を特徴とする
高気密性の引き戸装置。
【請求項２】
前記扉板は、戸締り位置に前記扉板を強制微動させるラッチロック機構を備え、前記突当て部材は、該ラッチロック機構の強制微動範囲内で前記複合リンク機構の第１リンクを駆動すること、を特徴とする
請求項１に記載の高気密性の引き戸装置。
【請求項３】
前記扉板は、自重を前記上案内レールに負担させるとともに、下案内レールを振れ止めとする吊戸であること、を特徴とする
請求項１または請求項２に記載の高気密性の引き戸装置。
【発明の詳細な説明】
【技術分野】
【０００１】
本発明は、建物の壁面等に形成した扉開口部の上下に配設する案内レールによって支持され、案内レールに沿って左右に移動させることによって、戸締り動作と開放動作とを行うようにした引き戸であって、扉板と建物の間の気密性を高めるための特別なシール部材を備える高気密性の引き戸装置に関する。
【背景技術】
【０００２】
引き戸は、大きな作動空間を要することなく狭い場所でも便利に開閉操作することができるとともに、半開き状態でも姿勢を安定に維持することができるという特徴を有し、例えば、一般住宅用の和風建築おける玄関戸の他、独立設置型の収納庫や輸送用コンテナ等の産業用途にも広く利用されている。
【０００３】
しかし、引き戸の開閉操作は、ドアと異なり、扉開口部を形成した壁面等の前面に沿って左右方向に移動する開閉方式であるため、壁面等との間に干渉を避けるための隙間を設ける必要がある。したがって、戸締りをした状態における気密性を確保することが困難であるという構造上での必然的な問題を有している。そして、この問題に対しては、従来、次のような提案がなされている。
【特許文献１】実公昭４５−３２７７８号公報
【特許文献２】実公昭５１−１５４９４１号公報
【特許文献３】実開平６−８６９１号公報
【特許文献４】特開平１１−１３１９３２号公報
【特許文献５】特開２００２−１８０７６５号公報
【発明の開示】
【発明が解決しようとする課題】
【０００４】
上記従来の提案を参照すると、概ね、以下の３種類の技術類型のいずれかに属すると考えられる。第１類型は、扉板の厚み内部にシール部材を内蔵しておき、シール部材を天井面および床面側に押し出し駆動することによって、遮断性や気密性を高めるものである。大型の移動間仕切り等に見られる機構である（特許文献３参照）。この類型の技術においては、左右方向の一方にシール部材を押し付ける相手部材が存在しない一般の引き戸には適用できないという問題がある。
【０００５】
第２の類型は、扉板自体を平行移動させるように移動させて戸枠等に固定設置されているシール部材に扉板を押し付ける方式である（特許文献４参照）。この方式においては、扉板を水平移動自在に案内する案内レール自体を平行移動可能な機械構造によって支持する必要があり、扉板の支持構造が極めて煩雑なものとなるという問題がある。なお、扉板の天井側について、扉板に揺動自在に取り付けた可動片を固定部材側に設けられたシール部材に押し付けるとともに、床面側については、扉板に内蔵したシール部材を押し出すという方式のものも見受けられるが（特許文献５参照）、左右方向の気密性の確保に難点がある。
【０００６】
第３の類型は、扉板の外形相当の角枠状のシール部材を扉開口部を設けた建物等の壁面に埋め込んでおき、これを扉板に向けて平行移動するように駆動して扉板に押し付ける方式のもの（特許文献１，２参照）、または、角枠状のシール部材を扉板に内蔵しておいて、壁面に押し付ける方式のものである（特許文献２参照）。扉板の四周全体について気密性を確保できる方式ではあるが、この方式のものにおいては、シール部材の駆動機構をいかに簡略化できるかが技術課題となる。大型のシール部材全体を同期的に駆動するには、通常、複雑な機械的連携機構を採用せざるを得ないからである（特許文献２参照）。この点、特許文献１に示すものは、シール部材全体の同期駆動を諦めて左右一対のハンドルによって、シール部材の左右を交互に駆動する方式を採用し、機構を簡素化しているが、この場合には、扉板を開閉する度毎の操作手数が煩雑化してしまうという別の問題が発生することとなる。
【０００７】
また、上記先例においては、いずれも、扉板を開閉する操作と、シール部材を駆動する操作とは、それぞれ独立の別操作であり、したがって、扉板を戸締り位置に水平移動させる操作に加えてシール部材に対する駆動操作を必要とするとともに、扉板を開く場合においても、予めシール部材を後退させる操作をしなければ扉板を開くことができないという問題があった。また、上記先例においては、いずれも扉板のロックないし施錠に関して言及していないのであるが、シール部材による気密性の確保と、扉板のロックないし施錠とは別問題であり、シール部材を扉板に押し付けたからといって施錠を省略することは、無用心に失する。すなわち、シール部材を駆動して扉板に押し付ける位置では、扉板を施錠することができるということが担保されるための機械的連携が確保されなければ、シールをした位置において施錠することができないという極めて不都合な問題が発生する。この点、従来の提案においては、何らの考慮も払われていないという問題がある
【０００８】
本発明は、上記のような従来の引き戸におけるシール機構の不完全さ、シール部材を駆動する機構の複雑さ、操作の煩雑さ、施錠の不便等に鑑み、扉板の四周全体にわたっての気密性を達成することができる角枠状のシール枠の使用を前提とし、扉板を戸締り位置に移動させる普通の戸締り操作、または、戸締り位置において扉板をロックする普通の戸締り操作によって、いわば、自動的にシール枠が扉板側に駆動されるとともに、扉板を戸締り位置から開放位置側に付勢する普通の開放操作によって、シール枠が後退駆動されて自動的に扉板から離れるように作動する、したがって、シール枠を独立に駆動する必要がない、極めて便利な高気密性の引き戸装置を提供することを目的とする。また、シール枠が駆動されて扉板に密着した位置においては、常に施錠可能である状態が実現されることも併せて目的とする。
【課題を解決するための手段】
【０００９】
本発明は、上記目的を達成するために次のような構成を採用する。
【００１０】
本発明の請求項１に記載の高気密性の引き戸装置は、建物等の壁面に形成された扉開口部の天井側に配設する上案内レールと床面側に配設する下案内レールとによって水平移動可能に支持され、扉開口部の前面に移動して扉開口部を遮蔽する戸締り位置と扉開口部の側方に移動して退避する開放位置との間を往来する扉板と、扉開口部の周囲に戸締り位置にある扉板に対して進退自在に埋設する角枠状のシール枠と、シール枠を扉板に対して平行移動させるように進退駆動する複合リンク機構と、扉板に固定する突当て部材とを備える。そして、複合リンク機構は、扉開口部の上縁部に沿って配設する第１リンクと、扉開口部の左右の側縁に沿って配設する一対の第２リンクとからなり、第１リンクは、戸締り位置に移動する扉板によって突当て部材を介して駆動されることによって一対の第２リンクを同時に駆動し、駆動された第２リンクは、第１リンクと協働して扉板の水平方向の動きをシール枠の平行進退動作に変換してシール枠を戸締り位置において扉板に圧接することを特徴とする。
【００１１】
上記構成を有する引き戸装置におけるシール枠は、複合リンク機構によって駆動される。複合リンク機構は、第１リンクと一対の第２リンクとからなり、一対の第２リンクは、第１リンクによって同時に駆動される。また、第１リンクは、扉板に固定された突当て部材によって扉板が戸締り位置に移動することによって扉開口部の周囲に進退自在に埋設されたシール枠を駆動する。すなわち、シール枠は、独立の駆動操作を要することなく、扉板を扉開口部の前面に移動させる普通の戸締り操作に複合リンク機構を介して機械的に連動して駆動され、扉板が戸締り位置に移動完了した時点で扉板に圧接されるのである。この際のシール枠は、角枠状であるから扉板の四周全体を完全に気密化することができる。また、シール枠は、扉板が戸締り位置に移動することを条件として扉板に圧接されるので、扉板がシール枠によって拘束された時点においては、扉板に取り付けられた任意形式の施錠装置を正しく施錠操作できることが機械的に保障されることとなる。
【００１２】
本発明の請求項２に記載の高気密性の引き戸装置における扉板は、戸締り位置に扉板を強制微動させるラッチロック機構を備え、扉板に固定された突当て部材は、このラッチロック機構の強制微動範囲内で複合リンク機構の第１リンクを駆動することを特徴とする。
【００１３】
上記構成を有する引き戸装置においては、扉板を厳密に戸締り位置に位置決めした状態においてシール枠を扉板に圧接することができる。つまり、扉板が単に通常許容される誤差範囲で戸締り位置に移動するのみではシール枠は駆動されず、シール枠は、ラッチロック機構による強制微動によって扉板が厳密に戸締り位置に拘束されることを条件として駆動される。したがって、扉板を頻繁に開け閉めする時間帯であって、扉板をシールする必要がないような場合において、開閉操作の都度シール枠が連動的に作動し、扉板の開閉操作に時間がかかる等の不都合を回避することができるとともに、シール枠が作動する時点においては、扉板が完全に閉じた状態であることが担保される他、扉板の位置誤差に敏感な高精度の施錠装置の採用が可能ともなる。なお、この場合においても、シール枠は、ラッチロック機構によって直接に駆動されるものではなく、あくまでも扉板の移動によって駆動されるものであることには変わりはない。
【００１４】
本発明の請求項３に記載の高気密性の引き戸装置は、扉板が、自重を上案内レールに負担させるとともに、下案内レールを振れ止めとする吊戸であることを特徴とする。
【００１５】
吊戸形式の引き戸においては、大重量の扉板を小さな操作力で開閉操作することができるという特徴を有する。したがって、本発明を一般住宅用の引き戸のみならず、例えば、業務用の低温倉庫等の気密性を要する大型扉板を備える引き戸にも適用することができる。
【発明の効果】
【００１６】
本発明の高気密性の引き戸装置は、扉板の水平方向の動きを複合リンク機構を介してシール枠の平行進退動作に変換し、戸締り位置においてシール枠を自動的に扉板に圧接するとともに、扉板が戸締り位置から開放位置側に移動開始する際には、シール枠が複合リンク機構に含まれるリターンスプリングよって元の位置に復帰するように自動的に後退駆動され、したがって、扉板の開閉に際してシール枠を駆動する独立の操作を必要としないので、引き戸における気密性の要請と操作の簡便性の要請とを両立させることができるとともに、扉板がシール枠によって拘束された時点においては、扉板が戸締り位置にあることが機械的連動関係によって担保されているので、扉板に対する施錠が不能となるような不都合が回避されるという効果を奏する。
【発明を実施するための最良の形態】
【００１７】
以下、図面を引用しながら本発明の高気密性の引き戸装置の実施の形態を説明する。
【００１８】
高気密性の引き戸装置１０は、建物ＨＭの出入り口等の設けられる扉開口部の周囲に気密用のシール枠５０を備えることが特徴であり、コンテナ等の特殊用途のほか、一般住居用の建物ＨＭの高気密、高断熱、防音兼用の玄関戸等として広く利用することができる（図１）。
【００１９】
引き戸装置１０は、扉板３０と戸枠２０、その他の必要部品を組立て済みとした引き戸ユニットして構成され、建物ＨＭの壁面Ｗに形成される扉開口部に戸枠２０ごとユニット全体を嵌め込むようにして簡単に設置することができる。なお、戸枠２０自体は、一般建物におけると同様に建物の一部として認識してもよく、引き戸装置１０の付属部材と認識してもよい。すなわち、戸枠２０は、本発明の必須の構成要素ではなく、例えば、設置現場において、各部品を建物ＨＭの扉開口部の周囲に組み付けることもできるからである。戸枠２０は、予め、各部品を組立て完了した状態のユニットとすることに便宜であるために一体化されているのである。
【００２０】
戸枠２０は、扉開口部の天井側に横設される上枠２１と、左右に立設される側枠２２，２４と、左右の側枠２２，２４の中間に立設される中間枠２３と、床面側に横設される下枠２５とからなる（図１，図２）。この際、扉開口部を取り囲んでその周囲に位置するのは、上枠２１と側枠２２と中間枠２３とであり、他方の側枠２４は、扉板３０の開放端に位置する突当て用の枠である。
【００２１】
なお、図１に示す引き戸装置１０は、右開き左閉じの片引き方式であるが、左開き右閉じ方式とすることもできる。ただし、戸締り方向Ｆ１に配置される側枠２２と開放方向Ｆ２に配置される側枠２４とは、ラッチロック機構４０の有無等に違いがある。
【００２２】
上枠２１の前面には、定幅の目隠し板２１Ａが垂設され、その背後空間は、上案内レール３３や複合リンク機構６０を収納する機械室になっている。扉板３０の上側は、吊り戸用の戸車３１を介して上案内レール３３によって支持され、扉板３０の下側は、下枠２５の前面に沿って設置する下案内レール３４に通常の戸車３２を介して嵌め込まれている。つまり、扉板３０は、吊り戸方式によって走行自在に支持されており、下案内レールは、扉板３０の板厚方向の外力に対して振れ止めとして機能する。なお、扉板３０の上端面の略中間位置には、突当て部材３５が固定され、この突当て部材３５は、扉板３０の裏面側にむけて突出している（図１，図２，図３）。
【００２３】
なお、引き戸装置１０に付属するラッチロック機構４０は（図６）、操作ハンドル４１と、操作ハンドル４１に連動して回動動作するラッチ掛け具４２と、戸枠２０の側枠２２の埋め込みボックス４４内に固定するラッチ受け具４２とからなる。このラッチロック機構４０は、操作ハンドル４１に対する回動操作により、側枠２２の添設した緩衝用のクッションパッキン２２Ｐを変形させながら扉板３０を側枠２２側に強制微動させ、側枠２２に密着させることができる。
【００２４】
引き戸装置１０の特徴をなすシール枠５０は、扉板３０の縦横寸法より一回り小さな角枠状に形成され、同じく角枠状の配置になっている戸枠２０の上枠２１と側枠２２と中間枠２３と下枠２５内に一体状態で進退動作可能に収納されている（図１ないし図４）。
【００２５】
シール枠５０は、前面側に開口するコ字形のチャンネル材を角形に組み立てたフレーム５１に気密用のシールパッキン５２を埋め込んだ構成であり、シールパッキン５２の素材には、軟質の樹脂材料やゴム材料、独立気泡性の発泡ゴム、発泡ウレタン等の高度の弾性回復力を有する素材が用いられるとともに、その断面形状には、弾性変形を容易化するための太鼓胴形等の変形容易化形状が採用される（図４，図７）。このようなシール枠５０は、複合リンク機構６０によって、扉板３０に対して、全体が同一位相で平行移動する動作態様で接近し、および離れるように駆動される（図４）。
【００２６】
複合リンク機構６０は、戸枠２０の上枠２１内、すなわち扉開口部の上縁位置に配設される第１リンク６１と、戸枠２０の側枠２２と中間枠２３内、すなわち扉開口部の左右の側縁位置に配設される一対の第２リンク６２，６２と、第１リンク６１に付設する引っ張りばねであるリターンスプリング６３とから構成される。
【００２７】
複合リンク機構６０の第１リンク６１は、中間位置を軸支持した揺動アーム６１Ａと、揺動アーム６１Ａの両端に連結される一対のプッシュプルアーム６１Ｂ、６１Ｂとの組合せからなり、一対のプッシュプルアーム６１Ｂ、６１Ｂは、揺動アーム６１Ａの揺動運動の左右方向成分を左右の第２リンク６２，６２に伝達することができる（図３，図４）。また、リターンスプリング６３は、揺動した揺動アーム６１Ａを作動前位置に復帰させる方向に機能する。
【００２８】
一方、複合リンク機構６０の第２リンク６２，６２は、それぞれ、左右に一対の翼片を有する略Ｗ字形の断面形状に形成されてシール枠５０の左右のフレーム５１に沿って、その斜め背後位置に配設されるトーションプレート６２Ａと、トーションプレート６２Ａとシール枠５０のフレーム５１とを３箇所において連結する３組のＬ字連結アーム６２Ｂ…とから構成されている。なお、各組のＬ字連結アーム６２Ｂを構成するアーム片は、長孔を介して連結されている。また、各トーションプレート６２Ａは、Ｗ字形の中間の谷部分に上下の長手方向に分散配置したコーナ金具に挿通する支持軸Ｓ２によって捩れ運動自在に支持され、第１リンク６１からの２本のプッシュプルアーム６１Ｂ、６１Ｂの各先端部は、トーションプレート６２Ａの一方の翼片にピン軸を介して連結されている。
【００２９】
上記のような複合リンク機構６０は、第１リンク６１の揺動アーム６１Ａの揺動運動の左右動成分を一対のプッシュプルアーム６１Ｂ、６１Ｂの対称押し引き運動として第２リンク６２，６２のトーションプレート６２Ａ，６２Ａに伝達してトーションプレート６２Ａ，６２Ａの捩れ運動に変換し、トーションプレート６２Ａ，６２Ａの捩れ運動を、全体として左右６組のＬ字連結アーム６２Ｂ…を介してシール枠５０の平行進退運動に変換することができるのである（図４）。
【００３０】
複合リンク機構６０は、独立の駆動用操作部材を備えず、常に、戸締り方向Ｆ１に移動する扉板３０を介してのみ作動することができる（図５）。そして、この動作が本発明の特徴でもある。すなわち、扉板３０の上端面に固定された突当て部材３５は、複合リンク機構６０の揺動アーム６１Ａに干渉する位置に位置決めされ、戸締り方向Ｆ１に移動する扉板３０が所定の戸締り位置にまで移動した時点で、突当て部材３５が揺動アーム６１Ａの前端部を打撃し、複合リンク機構６０は、固有の操作を要することなく扉板３０の運動エネルギーを吸収して作動するのである（図７）。
【００３１】
扉板３０が戸締り方向Ｆ１に操作され、突当て部材３５が揺動アーム６１Ａを打撃すると（図７（Ａ））、揺動アーム６１Ａの両端部は、矢印方向に揺動する。この際、同時に揺動アーム６１Ａの一端に連結されたリターンスプリング６３が引伸ばされている。揺動アーム６１Ａの両端部の動きは、一対のプッシュプルアーム６１Ｂ、６１Ｂ矢印方向の動きとして左右のトーションプレート６２Ａ，６２Ａに伝達され、トーションプレート６２Ａ，６２Ａは、矢印方向に捩れ運動をする。この運動は、トーションプレート６２Ａ，６２Ａに取り付けられたＬ字連結アーム６２Ｂ…に伝達され、Ｌ字連結アーム６２Ｂ…は、トーションプレート６２Ａ，６２Ａの捩れ運動の左右動成分を逃がしながら、その前後動成分のみをシール枠５０に伝達することができる。この結果、シール枠５０は、Ｌ字連結アーム６２Ｂによって扉板３０の方向に進出駆動され、シールパッキン５２を介して扉板３０に圧接され、厳重な気密状態が実現される（図７（Ｂ））。
【００３２】
扉板３０にシール枠５０が圧接された時点においては、扉板３０をこれ以上戸締り方向に操作することはできなくなる。したがって、扉板３０が何らかの形式の施錠装置を備えるものである場合には、シール枠５０が作動した時点において扉板３０が施錠可能な位置に到達していなければならない。そこで、複合リンク機構６０を作動させるための突当て部材３５は、長孔３５Ｈを介して位置微調節可能に取り付けられている。突当て部材３５の位置を調節することによって、扉板３０がシール枠５０によってロックされた位置において施錠可能となるように複合リンク機構６０を連動させることができる。なお、扉板３０の開放操作についても、シール枠５０は、独立の操作駆動を要することなく、扉板３０を開放操作に連動してリターンスプリング６３によって後退駆動されるので、シール枠５０に対する独立の駆動操作は不要である。
【００３３】
扉板３０を強制微動させるラッチロック機構４０を利用して、シール枠５０が作動する際の扉板３０の位置をさらに厳密に規定することもできる（図３，図６）。この場合には、扉板３０が側枠２２のクッションパッキン２２Ｐに到達する時点と、で突当て部材３５が複合リンク機構６０の揺動アーム６１Ａに到達する時点を一致させるように突当て部材３５の取付け位置を調節する。
【００３４】
上記条件に調節後、ラッチロック機構４０の操作ハンドルを回動操作すると、ラッチ掛け具４２がラッチ受け具に掛合し、扉板３０がクッションパッキン２２Ｐを変改させながら移動限に強制微動するとともに、突当て部材３５が揺動アーム６１Ａを押してシール枠５０が扉板３０側に起動されることとなる。この結果、扉板３０が移動限に至るのとシール枠５０が扉板３０に圧接されるタイミングが機械的連動関係によって厳密に一致するのである。したがって、扉板３０を締め切った時点で施錠することができないという不都合を解消することができる。
【００３５】
なお、上記実施の形態の説明においては、吊り戸形式の扉板３０を例示しているが、本発明は、通常の引き戸においてもそのまま適用可能である。また、本発明の引き戸装置においては、複合リンク機構６０が戸締り方向Ｆ１に移動する扉板３０の運動エネルギーを所定の戸締り位置付近において吸収するので、扉板３０に対して適度なブレーキとしても作用することとなる。この結果、扉板３０を多少乱暴に操作しても上品に停止するという副次的な効果も発揮する。
【図面の簡単な説明】
【００３６】
【図１】本発明の引き戸装置の実施の形態を示す全体概要斜視図である。
【図２】上記実施の形態における引き戸装置の拡大縦断面図である。
【図３】上記実施の形態における引き戸装置の要部の拡大横断面図である。
【図４】上記実施の形態における引き戸装置の要部の斜視図である。
【図５】上記実施の形態における引き戸装置の要部の斜視図である。
【図６】上記実施の形態における引き戸装置の要部の破断説明図である。
【図７】上記実施の形態における引き戸装置の動作説明図である。
【符号の説明】
【００３７】
ＨＭ        建物、
Ｗ          壁面、
Ｆ１        戸締り方向
Ｆ２        開放方向
１０        引き戸装置
３０        扉板
３３        上案内レール、
３４        下案内レール、
３５        突当て部材
４０        ラッチロック機構
５０        シール枠
６０        複合リンク機構
６１        第１リンク
６２        第２リンク
６３        リターンスプリング
【図１】
0004389004.tif 000002
【図２】
0004389004.tif 000003
【図３】
0004389004.tif 000004
【図４】
0004389004.tif 000005
【図５】
0004389004.tif 000006
【図６】
0004389004.tif 000007
【図７】
0004389004.tif 000008